(57)【要約】      （修正有）【課題】親子で共に乗れ、１００ｍくらいは滑って楽しむことができる安全な雪滑り具を提供する。【解決手段】本体側面９１の外側に外側取付板２Ｂ、内側に内側取付板３Ｃを設け、外側取付板２Ｂ及び内側取付板３Ｃを本体側面９１を挟み込むように連結し、回動ネジ６Ｆを介して外側取付板２Ｂに取付けた方向舵１Ａと、方向舵１Ａの回動を停止させる回動停止部７Ｇを設ける。方向舵１Ａの回動により、斜面を滑る、左または右に曲がる、停止するのいずれかの動作を行う。これにより、親子で共に乗れ、１００ｍくらいは滑って楽しむことができる。【選択図】図１
0003207642.tif 000002
【実用新案登録請求の範囲】
【請求項１】
本体側面の外側に外側取付板、内側に内側取付板を設け、外側取付板及び内側取付板を本体側面を挟み込むように連結し、回動ネジを介して外側取付板に取付けた方向舵と、方向舵の回動を停止させる回動停止部を設けたことを特徴とする雪滑り具。
【考案の詳細な説明】
【技術分野】
【０００１】本考案は雪滑り具に関するものである。
【背景技術】
【０００２】積雪の多い地域では、レジャー・スポーツのみならず生活のために、スキーや、雪滑り具いわゆるソリが身近なものとなっている。
従来の雪滑り具には、スキーとしても使用できるものがある（特許文献１参照）。
【先行技術文献】
【特許文献】
【０００３】
【特許文献１】実開昭５４−１３０２７０号  公報
【考案の概要】
【考案が解決しようとする課題】
【０００４】いうまでもなく、幼少期、小学校低学年位までの子供にとって、親とのふれあいは重要である。
積雪の多い地域では、幼少期から雪に強く親しんでおくことは、今後の生活を考えても重要であり、ふれあいも兼ねて親子で共に雪滑り具に乗ることは良く見られる光景である。従来の雪滑り具は人が乗り、２〜３ｍ滑り、左または右に曲がり、ひっくり返って横転して停止にいたっている。少し急な斜面では人が雪滑り具から飛び出して、人が雪面に転がっていることも良く見られる光景である。
しかし、このような状態では雪に親しみをもつこと（慣れること）及び親子のふれあい、それぞれの観点からはもの足りない点がある。
そこで、親子で共に乗れ、１００ｍくらいは滑って楽しむことができる安全な雪滑り具を提供することが課題である。
【課題を解決するための手段】
【０００５】上記課題を解決するために、本考案に係る雪滑り具は以下の手段を有する。
本体側面の外側に外側取付板、内側に内側取付板を設け、外側取付板及び内側取付板を本体側面を挟み込むように連結し、回動ネジを介して外側取付板に取付けた方向舵と、方向舵の回動を停止させる回動停止部を設けたことを特徴とする。
【考案の効果】
【０００６】方向舵の回動により、斜面を滑る（発進）、左または右に曲がる、停止する  のいずれかの動作を行うことができるため、親子で共に乗れ、１００ｍくらいはすべって楽しむことができる。よって、ふれあいによる大切な親子関係がしっかり生まれるため、大きな教育効果もある。
【図面の簡単な説明】
【０００７】
【図１】本考案に係る雪滑り具の構成を示す図であり、（ａ）は平面図、（ｂ）は正面図、（ｃ）は背面図、（ｄ）は左側面図である。
【図２】本考案に係る雪滑り具が積雪のある斜面を滑っている状態を示す図である。
【図３】本考案に係る雪滑り具が積雪のある斜面を滑っている際に、左折しようとする状態を示す図である。
【図４】本考案に係る雪滑り具が積雪のある平面で停止した状態を示す図である。
【考案を実施するための形態】
【０００８】以下、本考案に係る雪滑り具を実施するための形態を図１〜４に基づいて説明する。
【０００９】なお、本記載は実用新案登録請求の範囲を示した例であり、実用新案登録請求の範囲を本記載に限定することを意味するものではない。
【００１０】図１は本考案に係る雪滑り具の構成を示す図であり、（ａ）は平面図、（ｂ）は正面図、（ｃ）は背面図、（ｄ）は左側面図である。
（ａ）〜（ｃ）に示すように、雪滑り具は、本体８Ｈ、外側取付板２Ｂ、内側取付板３Ｃ、方向舵１Ａ、連結ネジ４Ｄ、回動ネジ６Ｆ及び回動停止部７Ｇから構成される。
【００１１】本体８Ｈは（ｂ）、（ｃ）に示すように、正面視、背面視において下に向かって略凸の略台形形状であり、板形状の外側取付板２Ｂ及び内側取付板３Ｃが側面９Ｉを挟み込むように連結ネジ４Ｄで連結される。
外側取付板２Ｂは（ｄ）に示すように側面視において、長方形形状である。
外側取付板２Ｂは（ｂ）、（ｃ）に示すように正面視、背面視において、上に向かって略凸の台形形状である。このため（ｂ）、（ｃ）に示すように正面視、背面視において、本体８Ｈと外側取付板２Ｂで構成される形状は略長方形となる。
連結ネジ４Ｄは２本である必要はなく、外側取付板２Ｂ及び内側取付板３Ｃの大きさ、側面視における形状に合わせて適宜増減してもよい。連結ネジ４Ｄの位置も適宜決定してよい。
【００１２】方向舵１Ａは（ａ）〜（ｄ）に示すように、正面視、背面視において長方形形状、側面視において前に向かって略凸の台形形状であり、回動ネジ６Ｆを介して外側取付板２Ｂに取付ける。
回動ネジ６Ｆは方向舵１Ａを外側取付板２Ｂに取付けるだけでなく、方向舵１Ａが回動する際の回動軸にもなる。
方向舵１Ａの側面視における形状は適宜変更してもよく、例えば長方形がある。
【００１３】回動停止部７Ｇは方向舵１Ａの回動を停止させるストッパーであり、（ｄ）では円柱形状の突起で表現している。回動停止部７Ｇの形状は、方向舵１Ａの回動を停止させるものであれば適宜変更してもよい。回動停止部７Ｇは（ｄ）において外側取付板２Ｂに設けているが、外側取付板２Ｂの形状、大きさに合わせて側面９Ｉに設けてもよい。
【００１４】本体８Ｈにはロープ取付け穴５Ｅを設ける。これにより図示しないロープを取付けることで、雪滑り具の持ち運びが可能となる。
【００１５】図２は本考案に係る雪滑り具が積雪のある斜面を滑っている状態を示す図である。
図に示すように方向舵１Ａは雪中に埋もれる箇所がない。この状態であれば、図示しない斜面を滑る力が方向舵１Ａにより妨げられることがないため、雪滑り具は斜面を滑る（滑り続ける）ことが可能となる。
【００１６】図３は本考案に係る雪滑り具が積雪のある斜面を滑っている際に、左折しようとする状態を示す図である。
図に示すように左側面９Ｉ側の方向舵１Ａは回動させたため、一部が雪中に埋もれている。
なお図示していないが、右側面９Ｉ側の方向舵１Ａは回動させていないため、雪中に埋もれている箇所はない。
このため、図示しない斜面を滑る力が左側面９Ｉ側の方向舵１Ａにより妨げられて減少し、雪滑り具は速度が減少するとともに左の方向に弧を描きながら曲がっていくことになる。
右の方向に曲がっていきたい場合は、図示していない右側面９Ｉ側の方向舵１Ａを回動させる。
【００１７】図４は本考案に係る雪滑り具が積雪のある平面で停止した状態を示す図である。
図に示すように左側面９Ｉ側の方向舵１Ａは回動停止部７Ｇに接する位置まで回動させており、一部が雪中に埋もれている。
同様に図示していない右側面９Ｉ側の方向舵１Ａも回動停止部７Ｇに接する位置まで回動させており、一部が雪中に埋もれている。
回動停止部７Ｇは、方向舵１Ａが接する位置で、方向舵１Ａが積面に対して垂直になるように設ける。
両側面９Ｉの方向舵１Ａを積面に対して垂直に回動させたことで、図示しない斜面を滑る力がそれぞれの方向舵１Ａにより妨げられてかなり減少し、雪滑り具は停止する。
なお回動停止部７Ｇは方向舵１Ａが接する位置で積面に対して垂直になるように設ける必要はない。回動停止部７Ｇの形状、大きさに合わせて、方向舵１Ａが接する位置で、雪滑り具が積面に対して停止すれば、適宜変更してもよい。
【００１８】材質としては、本体８Ｈ（側面９Ｉ）、外側取付板２Ｂ、内側取付板３Ｃ及び方向舵１Ａは強化プラスチック、連結ネジ４Ｄ、回動ネジ６Ｆ及び回動停止部７Ｇは金属が好ましいが、適宜変更してもよい。
【００１９】雪滑り具を使用する斜面は滑る際の速度を考慮して、水平な雪面に対する角度が２０度以内であることが安全上好ましい。
【符号の説明】
【００２０】１Ａ  方向舵
２Ｂ  外側取付板
３Ｃ  内側取付板
４Ｄ  連結ネジ
５Ｅ  ロープ取付け穴
６Ｆ  回動ネジ（回動軸）
７Ｇ  回動停止部
８Ｈ  本体
９Ｉ  側面
【図１】
0003207642.tif 000003
【図２】
0003207642.tif 000004
【図３】
0003207642.tif 000005
【図４】
0003207642.tif 000006